(57)【要約】【課題】  携帯型端末装置に、イヤホンが接続されている状態で、着信があった場合でも、スムーズに通話を行うことが可能な携帯型端末装置および携帯型端末装置の制御方法を提供する。【解決手段】  着信検知手段１０が着信を検知すると（Ｓ１）、判断手段２０が、音楽データ再生手段３０により音楽が再生中であるかどうかを判断する（Ｓ２）。音楽が再生中であると判断された場合、音声出力切替手段４０は、イヤホン優先に切り替える（Ｓ３）。音声出力がイヤホ優先に切り替えられると、携帯型端末装置１００は音声を受信し（Ｓ４）、受信した音声をイヤホン端子６０から出力する（Ｓ５）。一方、Ｓ２において音楽が再生中でないと判断された場合、音声出力切替手段４０は、音声出力をスピーカ優先に切り替える（Ｓ６）。音声出力がスピーカ優先に切り替えられると、携帯型端末装置１００は音声を受信し（Ｓ７）、受信した音声をスピーカ５０から出力する（Ｓ８）。【選択図】  図２
2007201715.tif 000002
【特許請求の範囲】
【請求項１】
無線通信が可能であるとともに、音声出力部としてイヤホン端子およびスピーカを備えた携帯型端末装置であって、
着信を検知する着信検知手段と、
音楽が再生中であるかどうかを判断する判断手段と、
前記判断の結果、音楽が再生中である場合には、音声出力をイヤホン端子優先とし、音楽が再生中でない場合には、音声出力をスピーカ優先とする音声出力切替手段と、
を有することを特徴とする携帯型端末装置。
【請求項２】
無線通信が可能であるとともに、音声出力部としてイヤホン端子およびスピーカを備えた携帯型端末装置の音声出力を制御する方法であって、
着信を検知する段階と、
音楽が再生中であるかどうかを判断する段階と、
前記判断の結果、音楽が再生中である場合には、音声出力をイヤホン端子優先とし、音楽が再生中でない場合には、音声出力をスピーカ優先とする段階と、
を有することを特徴とする携帯型端末装置の制御方法。
【請求項３】
無線通信が可能であるとともに、音声出力部としてイヤホン端子およびスピーカを備えた携帯型端末装置を、着信を検知する着信検知手段、音楽が再生中であるかどうかを判断する判断手段、前記判断の結果、音楽が再生中である場合には、音声出力をイヤホン端子優先とし、音楽が再生中でない場合には、音声出力をスピーカ優先とする音声出力切替手段として機能させるためのプログラム。
【発明の詳細な説明】
【技術分野】
【０００１】
本発明は、携帯電話機等の携帯型端末装置における音声の出力制御に関する。
【背景技術】
【０００２】
従来より、携帯型端末装置として携帯電話機が普及している。近年、携帯型端末装置の多機能化が進み、携帯電話機としてだけでなく、音楽プレーヤとしての機能など様々な機能を有するようになってきている。
【０００３】
携帯型端末装置が、携帯電話機としての機能だけでなく、音楽プレーヤとしての機能を備えるようになると、複数の音声が出力されることになる。この場合に、複数の音声を制御するための技術も開発されている（例えば、特許文献１参照）。
【特許文献１】特開２００２−２１８０１９号公報
【発明の開示】
【発明が解決しようとする課題】
【０００４】
携帯型端末装置が音楽プレーヤとしての機能を備えていると、従来の携帯型音楽専用再生機（例えば、ポータブルＣＤプレーヤ等）がそうであったように、イヤホンが端子に接続されたまま、携帯されることが多くなると想定される。通常、イヤホンが端子に接続されている場合には、音声出力は、スピーカではなく、イヤホンから行われることになる。そうすると、イヤホンが接続された状態で、通話状態に移行すると、通話音声はイヤホンからの出力となる。このため、イヤホンが接続された状態で、着信があり、咄嗟に出ようとすると、スムーズに通話できないという問題がある。
【０００５】
そこで、本発明は、携帯型端末装置に、イヤホンが接続されている状態で、着信があった場合でも、スムーズに通話を行うことが可能な携帯型端末装置および携帯型端末装置の制御方法を提供することを課題とする。
【課題を解決するための手段】
【０００６】
上記課題を解決するため、本発明では、無線通信が可能であるとともに、音声出力部としてイヤホン端子およびスピーカを備えた携帯型端末装置であって、着信を検知する着信検知手段と、音楽が再生中であるかどうかを判断する判断手段と、前記判断の結果、音楽が再生中である場合には、音声出力をイヤホン端子優先とし、音楽が再生中でない場合には、音声出力をスピーカ優先とする音声出力切替手段を有する携帯型端末装置を提供する。
【発明の効果】
【０００７】
本発明によれば、イヤホンが接続されている状態で着信があると、音楽が再生中であるかどうかを判断し、音楽が再生中の場合にはイヤホン優先とし、音楽が再生中でない場合にはスピーカ優先とするようにしたので、イヤホンが接続されている状態で、着信があった場合でも、スムーズに通話を行うことが可能となる。
【発明を実施するための最良の形態】
【０００８】
以下、本発明の好適な実施形態について、図面を参照して詳細に説明する。
（装置構成）
まず、本発明に係る携帯型端末装置の構成について説明する。図１は、本発明の携帯型端末装置のブロック構成を示す図である。図１において、１０は着信検知手段、２０は判断手段、３０は音楽データ再生手段、４０は音声出力切替手段、５０はスピーカ、６０はイヤホン端子である。
【０００９】
着信検知手段１０は、携帯型端末装置が有する通話機能を実現するためのものであり、外部から着信があったことを検知する機能を有している。判断手段２０は、着信検知手段１０が着信を検知した際に、音楽データ再生手段３０により音楽が再生中であるかどうかを判断する機能を有している。音楽データ再生手段３０は、音楽を再生する機能を有している。音楽データ再生手段３０は、具体的には、音楽データを記録したメモリと、音楽データをデコードする処理手段により構成されており、処理手段がメモリに記録された音楽データを読み出してデコードする処理を行う。音声出力切替手段４０は、通話音声および音楽の出力先をスピカ５０、イヤホン端子６０のいずれかに切り替える機能を有している。イヤホン端子６０は、イヤホンを接続するための端子であり、イヤホンが接続されると、音声出力切替手段４０は、音声出力をイヤホン端子６０に切り替える処理を行う。
【００１０】
携帯型端末装置は、市販の音楽再生機能付き携帯電話機に、専用のプログラムを搭載することにより実現できる。特に、判断手段２０および音声出力切替手段４０は専用プログラムを、プロセッサが処理することにより実現される。
【００１１】
（制御方法）
続いて、本発明に係る携帯型端末装置の制御方法について図２のフローチャートを用いて説明する。まず、携帯型端末装置１００において、着信検知手段１０が着信を検知すると（Ｓ１）、判断手段２０が、音楽データ再生手段３０により音楽が再生中であるかどうかを判断する（Ｓ２）。音楽が再生中であると判断された場合、音声出力切替手段４０は、音声出力をイヤホン端子６０に切り替える（Ｓ３）。すなわち、イヤホンを優先することになる。音声出力がイヤホンに切り替えられると、携帯型端末装置１００は音声を受信し（Ｓ４）、受信した音声をイヤホン端子６０から出力する（Ｓ５）。音声はイヤホン端子６０を介してイヤホンに出力され、利用者はイヤホンから通話相手の声を聞くことができる。
【００１２】
一方、上記Ｓ２において、音楽が再生中でないと判断された場合、音声出力切替手段４０は、音声出力をスピーカ５０に切り替える（Ｓ６）。すなわち、スピーカを優先することになる。音声出力がスピーカ５０に切り替えられると、携帯型端末装置１００は音声を受信し（Ｓ７）、受信した音声をスピーカ５０から出力する（Ｓ８）。音声はスピーカ５０から出力され、利用者はスピーカから通話相手の声を聞くことができる。
【００１３】
図１に示した携帯型端末装置は、イヤホンをイヤホン端子６０に接続していない状態ではスピーカ優先、イヤホンをイヤホン端子６０に接続した状態ではイヤホン優先としているが、優先する音声出力先を利用者が設定可能にしておいても良い。例えば、利用者がスピーカ優先に設定しておくと、、イヤホンをイヤホン端子６０に接続した状態であっても、スピーカから音声が出力される。
【図面の簡単な説明】
【００１４】
【図１】本発明の携帯型端末装置のブロック構成を示す図である。
【図２】本発明の携帯型端末装置の制御方法の概要を示すフローチャートである。
【符号の説明】
【００１５】
１０・・・着信検知手段
２０・・・判断手段
３０・・・音楽データ再生手段
４０・・・音声出力切替手段
５０・・・スピーカ
６０・・・イヤホン端子
１００・・・携帯型端末装置
【図１】
2007201715.tif 000003
【図２】
2007201715.tif 000004